(57)【要約】【課題】洗濯物を装架したハンガーのフック部を物干綱または物干紐に引き掛けていく操作により、そのハンガーが物干綱または物干紐にフック部を係着させた状態として吊り下げられるようにする。【解決手段】フック部１０を略前後に横切る長さのアーム状に形成した係止腕２を、側面視において、フック部１０を横切るよう配位して、それの一端側をフック部１０に連結軸３により軸支し、それの長手方向の中間部位に、下方に向け屈曲する屈曲部ａを、それの内周側のコーナー部が、係止腕２を連結軸３中心に上方に回動させたときにフック部１０の上面側に臨むように配位して形設し、係止腕２の回動端側に、フック部１０の外側に向けて張り出す張出部２ａを設け、フック部１０には、係止腕２をそれの屈曲部ａの内周側のコーナー部がフック部１０の上面側に臨む位置まで上方に回動させたときにその状態以後の係止腕２の上方回動を規制する規制部材Ｋを装設しておく。【選択図】　　　　図１５
2004024663.tif 000002
【特許請求の範囲】
【請求項１】
ハンガー１の主体部１ａの上部に設けるフック部１０に、そのフック部１０を略前後に横切る長さのアーム状に形成した係止腕２を、側面視において、その係止腕２の長手方向の一端側がフック部１０の前後の一端部側に重合し、他端側がフック部の前後の他端部側の外側に突出してフック部１０の内腔を横切るよう配位して、それの一端側をフック部１０に連結軸３により軸支し、この係止腕２には、それの長手方向の中間部位に、下方に向け屈曲する屈曲部ａを、それの内周側のコーナー部が、係止腕２を連結軸３中心に上方に回動させたときにフック部１０の上面側に臨むように配位して形設し、係止腕２の回動端側に、フック部１０の外側に向けて張り出す張出部２ａを設け、フック部１０には、係止腕２をそれの屈曲部ａの内周側のコーナー部がフック部１０の上面側に臨む位置まで上方に回動させたときにその状態以後の係止腕２の上方回動を規制する規制部材Ｋを装設しておくことを特徴とする物干用のハンガーの係止装置。
【請求項２】
係止腕２を、弾性を具備する素材により撓曲可能に成形しておくことを特徴とする請求項１記載の物干用のハンガーの係止装置。
【請求項３】
係止腕２の一端側をフック部１０の前端側となる遊端側に連結軸３により軸支して、係止腕２の他端側の回動端部をフック部１０の後端側となる立上部１０ａの外面側において昇降するよう配位し、その回動端部に外方に張り出す張出部２ａを設けることを特徴とする請求項１記載の物干用のハンガーの係止装置。
【請求項４】
係止腕２の一端側をフック部１０の後端側となる立上部１０ａ側に連結軸３により軸支して、係止腕２の他端側の回動端部をフック部１０の遊端側の外面側において昇降するよう配位し、その回動端部に外方に張り出す張出部２ａを設けることを特徴とする請求項１記載の物干用のハンガーの係止装置。
【請求項５】
係止腕２を、フック部１０の左右の両側に、フック部１０の側面との間に物干綱Ｒの径に略対応する間隔をおいてそれぞれ配位し、これら係止腕２の一端側を連結軸３によりフック部１０に軸支し、他端側の回動端部をつなぎ部材により一体的に連結することを特徴とする請求項１記載の物干用のハンガーの係止装置。
【発明の詳細な説明】
【０００１】
【発明が属する技術分野】
本発明は、洗濯した衣服類を懸架する衣服用のハンガーを、物干台にかけ渡した竿または綱に引き掛けて吊り下げたときに、風であおられても外れないように係止せしめるようハンガーに装備せしめる物干用のハンガーの係止装置に関する。
【０００２】
【従来の技術】
洗濯した衣服類を乾かす場合、通常は衣服類にあっては、ハンガーに掛け、そのハンガーを、物干台または物干場にかけ渡す竿または綱に引き掛けて吊り下げることで行われる。
【０００３】
このとき、風の強い日には、洗濯物が風であおられることで、ハンガーが物干竿または物干綱から外れ、洗濯物がハンガーごと飛ばされるようになるので、ハンガーを物干竿または物干綱に係止するための係止手段がハンガーに設けられる。
【０００４】
この係止手段は、ハンガーを物干竿に係止するための手段としては、例えば、特許第２９４９０６２号の公報にあるように従来から知られている。この手段は、図１に示すように、ハンガー１の主体部１１の上部に設けたフック部１０に、上下に並列する二本のアーム２０・２１が一端側において連結し他端側において上下に開放する略横向きのＶ字形をなす形状に形成した係止腕２を、それの要となる二本のアーム２０・２１の閉じ合わされた側に設ける連結軸３により、上下に回動するように連結して、常態において、自重により、図２にあるように上位側のアーム２０がフック部１０の内腔を横切り下位側のアーム２１がフック部１０に沿う下向きのＶ字形をなす姿勢を保持するようにしておき、このハンガー１のフック部１０を物干竿Ｐに掛けることで、ハンガー１およびそれに懸架した洗濯物の重量により、Ｖ字形の係止腕２の上位側のアーム２０が押し上げられて、連結軸３中心に図において時計回りに回動し、それにより、図３にあるように、下位側のアーム２１が物干竿Ｐをフック部１０の内周側に抱き込んで、ハンガー１を物干竿Ｐに係着させるようにしている手段である。
【０００５】
また、ハンガー１を物干綱Ｒに対して係止せしめる手段にあっては、物干綱Ｒを図４にあるように、ハンガー１のフック部１０を通す目穴ｒを作っておき、そこに、フック部１０を通して吊り下げることで、この目穴ｒにより係止するようにしている。
【０００６】
【発明が解決しようとする課題】
洗濯物を掛けたハンガーを、物干竿または物干綱または物干紐に引き掛けて吊り下げたときに、風であおられても外れて飛ばされることのないようにする係止手段は、ハンガーを物干竿に引き掛けて吊り下げるときの、物干竿に対して係止させるための手段にあっては、ハンガーのフック部を物干竿に引き掛けていく動作により自動的に係止が行われるようになることで、係止のための操作に負担がないが、ハンガーを綱または紐に引き掛けて吊り下げるときの、綱または紐に係止する手段にあっては、図４にあるように、物干綱（または物干紐）に、ハンガー１のフック部１０を挿通する目穴ｒを形成しておいて、そこに、フック部１０を、それの遊端側から挿し込んで係止することで行うことから、このフック部１０を挿通する目穴ｒを具備せしめた特殊な物干綱Ｒまたは物干紐を要し、この目穴ｒのない通常の物干綱・物干紐には、それにハンガーを係止するために、別の係止手段が必要となる。
【０００７】
しかも、フック部１０を挿通するために物干竿または物干紐に設けられる目穴ｒの径が小さいことで、フック部１０を目穴ｒに挿通していく操作が面倒な問題がある。また、この手段は、フック部１０を針金で形成してあるハンガーを対象としているもので、フック部１０を樹脂材で成形してあるハンガーにあっては、目穴ｒに対してハンガーのフック部を挿通し得ない問題がある。
【０００８】
本発明は、従来の洗濯物を懸架したハンガーを物干綱または物干紐に対しフック部を引き掛けて吊り下げる際に生じている上述の問題を解消せしめるためになされたものであって、物干綱または物干紐が、ハンガーのフック部を挿通するための目穴を具備しない通常の物干綱または物干紐であっても、フック部を物干綱または物干紐に引き掛けていく操作により、そのハンガーが物干綱または物干紐にフック部を係着させた状態として吊り下げられるようになる新たなハンガーの係止手段を提供することを目的とする。
【０００９】
【課題を解決するための手段】
洗濯物を掛けたハンガーを、物干綱（または物干紐）に引き掛けて吊り下げたときに、そのハンガーが風にあおられても物干綱から外れないようにその物干綱に係着させるのが、簡単な操作により行えるようにするには、図１乃至図３にあるようにハンガー１のフック部１０に物干竿Ｐを抱き込んで物干竿Ｐと係着するように設ける係止腕２を用いて、これにより物干綱Ｒがハンガー１のフック部１０に係着するようにすればよいわけだが、物干綱Ｒを抱き込んだときに、それをハンガー１のフック部１０の内周面に係着させることがむずかしく、単にフック部１０を物干綱Ｒに引き掛けただけでは、物干綱Ｒ上を殆ど自由にスライドするように吊り下げられた状態となってしまう。
【００１０】
しかし、このとき、フック部１０に連結軸３により上下に回動するよう軸支した係止腕２とフック部１０とによる物干綱Ｒのフック部１０に対する係着を、係止腕２により物干竿Ｐをフック部１０の内周面に押圧することで行っている物干竿Ｐの場合とは逆に、物干綱Ｒをフック部１０の外周面側において、係止腕２とフック部１０との間に抱き込ませ、物干綱Ｒを係止腕２の下面側によりフック部１０の外周面の上面側に圧接させるようにすれば、ハンガー１のフック部１０を物干綱Ｒに引き掛けていく操作によりハンガー１を物干綱Ｒに吊り下げられるようになり、かつ、このとき、係止腕２の連結軸３中心とする上方回動の範囲をフック部１０に設けておく規制部材により規制しておき、これに係止腕２が衝合して上方回動が規制された状態において、その係止腕２を形成する合成樹脂材または金属材が具備する弾性によりその係止腕２が撓曲し、それの復元による弾性によって物干綱Ｒをフック部１０の外周面の上面側の押圧していくようにすることで、物干綱Ｒに引き掛けて吊り下げたハンガー１が物干綱Ｒに対し係着させた状態とし得るようになる、という知見が得られた。
【００１１】
そして、このことから、本発明においては、上述の目的を達成するための手段として、ハンガー１の主体部１ａの上部に設けるフック部１０に、そのフック部１０を略前後に横切る長さのアーム状に形成した係止腕２を、側面視において、その係止腕２の長手方向の一端側がフック部１０の前後の一端部側に重合し、他端側がフック部の前後の他端部側の外側に突出してフック部１０の内腔を横切るよう配位して、それの一端側をフック部１０に連結軸３により軸支し、この係止腕２には、それの長手方向の中間部位に、下方に向け屈曲する屈曲部ａを、それの内周側のコーナー部が、係止腕２を連結軸３中心に上方に回動させたときにフック部１０の上面側に臨むように配位して形設し、係止腕２の回動端側に、フック部１０の外側に向けて張り出す張出部２ａを設け、フック部１０には、係止腕２をそれの屈曲部ａの内周側のコーナー部ｂがフック部１０の上面側に臨む位置まで上方に回動させたときにその状態以後の係止腕２の上方回動を規制する規制部材Ｋを装設しておくことを特徴とする物干用のハンガーの係止装置を提起するものである。
【００１２】
【発明の実施の形態】
本発明によるハンガーの係止装置は、ハンガーを物干綱（または物干紐）に係止するのに、従来、ハンガーのフック部を物干竿に係着させるようそのフック部に連結軸により上下に回動自在に軸支する係止腕を利用し、その係止腕により物干綱をハンガーに係着させるようにする。
【００１３】
このことから、ハンガーは、それの本体の上部に連続させて設けるフック部を、合成樹脂材により成形する通常の形態のもの、また、針金状の線材をフック状に成形した金属材よりなる形態のもの等、従来公知の普通のハンガーに形成してよい。
【００１４】
しかし、合成樹脂材または金属材により形成するフック部には、何れの場合においても、係止腕を上下に回動自在に軸支するための連結軸またはその連結軸を嵌挿するための軸穴ないし軸受部を具備する形状のものに形成する。
【００１５】
また、これに連結軸を介し上下に回動自在に組み付ける係止腕の、前記連結軸中心とする上方への回動範囲を規制する規制部材を設けておく。
【００１６】
係止腕は、合成樹脂材または金属材の何れの素材で成形してもよい。また、連結軸中心に上方に回動させて規制部材に衝合した状態において、負荷を加えることで撓曲し、負荷の解放で復元するよう弾性を具備する形態のものに形成することが望ましいが、撓曲のない剛体のものに形成してもよい。
【００１７】
この係止腕は、前述の図１乃至図３にあるよう上位側のアーム２０と下位側のアーム２１とが一端側において連結し、他端側が互いに離れるように開いた略Ｖ字形をなす形状に成形する必要はなく、図５にあるように、連結軸３によりハンガー１のフック部１０に連結した状態において、そのフック部１０の内腔を横切る長さとした一条のアーム状に形成してよい。
【００１８】
この係止腕２を連結軸３により上下に回動自在に組み付けるために、ハンガー１のフック部１０に連結軸３を設けて構成する軸支点Ｓは、ハンガー１を物干綱Ｒに引き掛けて吊り下げるときに、その物干綱Ｒを係止腕２によりフック部１０の外周面に沿いフック部１０の上面側に導く作動を円滑にすることから、図５にあるようにフック部１０の前端側となる遊端側に設けて、これに基端側を軸支する係止腕２の回動端側が、フック部１０の後端側となる立上部１０ａの外面側に常時位置しているようにすることが望ましいが、図６にあるようにフック部１０の後端側となる立上部１０ａの側に軸支点Ｓを設けて、係止腕２の回動端側が、フック部１０の前端側となる遊端側の外側に突出するようにしてもよい。
【００１９】
係止腕２は、フック部１０に設けた軸支点Ｓに基端側を軸支した状態において、前述の図５にあるようフック部１０の内腔を横切って回動端側がフック部１０の外側に突出する長さのアーム状に形成するが、それの長手方向の中間部位には、図５において上下に向け屈曲させてアングル状に屈曲するか、さらに上方に向け屈曲してクランク状に屈曲する屈曲部ａを形設する。
【００２０】
この係止腕２の長手方向の中間部位に形成する屈曲部ａは、係止腕２を軸支点Ｓ中心に上方に回動させたときに、それの内周側のコーナー部ｂがフック部１０の上面側に略突出してくる部位に形成する。
【００２１】
この屈曲部ａは、軸支点Ｓ中心に上方に係止腕２を回動させて、その屈曲部ａの内周側のコーナー部をフック部１０の上面側に略突出させたときに、その内周側のコーナー部ｂによりフック部１０の上面側との間に隙間状の空間を形成して、この空間内に物干綱Ｒを嵌入させ、その物干綱Ｒを係止腕２によりフック部１０の上面に圧着させてフック部１０に係着させるためのものである。
【００２２】
このことから、係止腕２の上方への回動範囲を規制するようにフック部１０に設ける規制部材Ｋは、図７にあるように、屈曲部ａの内周側のコーナー部ｂにより形成する空間ｃがフック部１０の上面側に突出して、物干綱Ｒを嵌入させる空間ｃを形成した状態時において、係止腕２に衝合して、その状態よりの上方への回動を規制するように配位して設け、これにより、空間ｃ内に嵌入してきた物干綱Ｒをフック部１０の外周面の上面側に圧接させるようにする。
【００２３】
このとき、係止腕２を弾性により撓曲するように形成しておくときは、前記空間ｃ内に押し込まれた物干綱Ｒを、係止腕２の弾性による復元によりフック部１０の上面側に押圧して、係着させるようになる。
【００２４】
このように、フック部１０に設けておく規制部材Ｋは、前述した図７にあるよう軸支点Ｓに近い位置において係止腕２と衝合するように設けて、係止腕２の規制部材Ｋに衝合する部位から物干綱Ｒを嵌入させる空間ｃまでの長さを長くしておくことが、係止腕２に付与しておく弾性を効果的に利用する上において望ましい。
【００２５】
係止腕２は、図７にあるように、中間に屈曲部ａを具備する一条のアーム状に形成してよい。この場合には、フック部１０を、図８に示しているように、それの巾方向の中間部位に、アーム状の係止腕２の中間部から回動端側が嵌入していく開裂部１０ｂを具備する形状に形成しておいて、係止腕２がこの開裂部１０ｂ内において軸支点Ｓ中心に回動するようにする。
【００２６】
また、係止腕２は、図１０・図１２にあるように、フック部１０の左右の両側に位置して二条に並列する形態のものに構成してよい。
【００２７】
このとき、一対に並列させるアーム状の係止腕２の間隔巾は、前述した屈曲部ａの内周側のコーナー部ｂとフック部１０の上面側との間に形成する空間ｃ内に物干綱Ｒを導いたときに、その物干綱Ｒを、フック部１０の上面を跨ぐように折り曲げた形態として、フック部１０に巻き付くように押圧し、フック部１０および係止腕２に対する係着を確実にするために、物干綱Ｒの径に対応する間隔をフック部１０の外側面と係止腕２の内側面との間に形成する間隔巾とすることが有効である。
【００２８】
また、このように、係止腕２の中間部位の屈曲部ａの内周側のコーナー部で形成する空間ｃ内に導いた物干綱Ｒを、その屈曲部ａによりフック部１０の上面側に巻き付けるように折り曲げて圧着させるようにする場合、規制部材Ｋによる係止腕２の回動範囲の規制は、係止腕２の空間ｃを形成する屈曲部ａの内周側のコーナー部ｂが、図１３にあるよう、側面視においてフック部１０の上面よりも下方を占める位置までにとどめるようにしてよく、このように規制部材Ｋによる規制を設定しておくことがむしろ望ましい。
【００２９】
規制部材Ｋによるこの係止腕２の回動範囲の規制は、前述したフック部１０に巾方向の中間部に開裂部１０ｂを設けてここに一条のアーム状に形成した係止腕２を軸支点Ｓにより上下に回動自在に軸支する場合においても同様である。屈曲部ａの内周側のコーナー部により形成する空間ｃが、側面視において、フック部１０の上面より下方を占める位置にとどめるように設定してよい。
【００３０】
係止腕２には、それの回動端側に、フック部１０の外側に張り出す張出部２ａを形成しておく。
【００３１】
この張出部２ａは、ハンガー１を物干綱Ｒに引き掛けるときに、その物干綱Ｒを、係止腕２の屈曲部ａの内周側とフック部１０の上面とで形成する空間ｃに導くためのガイドとなるもので、係止腕２が自重により下降している状態において、フック部１０の外側に張り出しているように装設し、物干綱Ｒを、この張出部２ａにより、物干綱Ｒを係止腕２とフック部１０の外面との間を経て空間ｃに導くようにする。
【００３２】
このとき、張出部２ａによりフック部１０の外周面に沿う位置に導いた物干綱Ｒを、屈曲部ａに向け誘導するための係止腕２の張出部２ａから屈曲部ａに至るまでの部位は、係止腕２を弾性を具備する素材により成形している場合にあっては、その部位とフック部１０の外周面との間に形成される間隔が、零乃至マイナスであってもよい。
【００３３】
係止腕２は、撓曲しない剛体のものに形成してもよい。この場合には、係止腕２の回動範囲を規制する規制部材Ｋを、係止腕２が衝合してきたときに、それを弾性的に受け止めるバネ材または弾性材にて形成するが、バネ材を組み込んだ形態に構成して、これに衝合した係止腕２が弾性的に回動するようにしておく。
【００３４】
また、係止腕２には、それの連結軸３によりフック部１０に軸支する基端側に、図１４にあるよう、係止腕２の屈曲部ａに至るまでの、フック部１０の内腔を横切る部位に対して対向する短いアーム２ｂを設けておいて、物干竿Ｐに引き掛ける場合に、この短いアーム２ｂとフック部１０を横切る部位とで、抱え込んだ物干竿Ｐを、図１乃至図３にある従前のものと同様に、フック部１０の内周側に押圧して、係着するようにしてよく、このようにすることで、フック部１０の外周側と係止腕２の屈曲部ａとにより物干綱Ｒを係着させ、フック部１０の内周側と係止腕２とにより物干竿Ｐを係着させるようになる。
【００３５】
次に実施例を説明する。
図１５は、本発明を実施せるハンガーの側面図で、１はハンガー、１０はそのハンガー１のフック部、１１はハンガー１の主体部、２は連結軸３によりハンガー１のフック部１０に上下に回動するよう組み付けた係止腕、Ｋはその係止腕２の連結軸３中心とする上方への回動を所定の範囲内に規制するようフック部１０に形設した規制部材である。
【００３６】
ハンガー１は、それの主体部１１を合成樹脂材により成形し、それの頂部に形成した軸筒部１２に、別に合成樹脂材により成形したフック部１０の立上部１０ａの下端側を嵌挿して一体に結合させることで通常の形態のものに組み立ててある。そして、それのフック部１０には、係止腕２を上下に形動自在に軸支する連結軸３を嵌挿するための軸穴１００が、該フック部１０の遊端側に形設してあり、また、この軸穴１００に嵌挿した連結軸３により軸支せる係止腕２の上方への回動範囲を所定位置において規制するための規制部材Ｋが、フック部１０の遊端側で前記軸穴１００に近い部位に形設してある。
【００３７】
係止腕２は、合成樹脂材により一条のアーム状に成形してあるが、その合成樹脂材は、成形した係止腕２が撓曲するよう弾性を具備するものとする樹脂材としてある。
【００３８】
そして、この一条のアーム状に成形した係止腕２は、それの長手方向の中間部を、クランク状に屈曲させることで、それの、基端部から回動端部に向かう方向における最初の下方に屈曲する部位により屈曲部ａを形成して、その屈曲部ａの内周側のコーナー部をもって空間ｃを形成するようにし、また、この屈曲部ａからクランク状に屈曲していく回動端部をもって張出部２ａを形成するようにしている。
【００３９】
前記屈曲部ａは、係止腕２が、それの基端部をフック部１０に設けた前述の軸穴１００に嵌装する連結軸３により軸支されて、その連結軸３中心に上向きに回動し、規制部材Ｋに衝合してその上向き回動が規制された状態において、図１５の鎖線Ｉに示しているように、屈曲部ａの上面側はフック部１０の上面側に突出するが内周側のコーナー部ｂで形成される空間ｃは、フック部の上面側より下降した位置を占めるように配位して形設してある。そして、これにより、この空間ｃに嵌入してくる物干綱Ｒがフック部１０の外面に巻き付くよう折れ曲がった状態となるようにしている。
【００４０】
また、この実施例における係止腕２は、フック部１０を、左右の両側から挟むようフック部１０の左右の両側にそれぞれ配位して、一対に並列する形態とし、それらの基端側を連結軸３でフック部１０に軸支し、回動端側をつなぎ部材で一体的に連結することで、一体の係止腕２として作動するようにしている。
【００４１】
この実施例のハンガー１は、それの主体部１１に洗濯物を懸架して物干綱Ｒに引き掛けるとき、図１６にあるように、フック部１０の遊端側と反対の背面側が物干綱Ｒに対面する状態として物干綱Ｒに近づけ、フック部１０の背面側に突出している張出部２ａを物干綱Ｒの上に被せ、その状態でハンガー１を物干綱Ｒに対し下降させることで、物干綱Ｒが、係止腕２を押し上げるよう上向きに回動させながら、係止腕２の屈曲部ａの下降部位とフック部１０の外面側との間を経て、屈曲部ａの内側のコーナー部位により形成される空間ｃ内に嵌入していき、このとき、ハンガー１を強く下方に引張ることで、図１９にあるよう、物干綱Ｒを係止腕２の屈曲部ａの内周側でフック部１０の上面に圧着する状態となって、ハンガー１が物干綱Ｒに対し係着した状態となる。
【００４２】
そして、この状態から、物干綱Ｒを押さえてハンガー１を押し上げれば、物干綱Ｒが脱出してきたハンガー１は物干綱Ｒから外れるようになる。
【００４３】
次に、図２０は別の実施例を示している。この例のハンガー１は、それのフック部１０に組み付けた係止腕２の基端側に、短いアーム２ｂを、係止腕２のフック部１０の内腔を横切る部位に対しＶ字形をなすように一体に連結させた例である。
【００４４】
この例のハンガー１は、前述した実施例のものと同様の操作により物干綱Ｒに係着させた状態として引き掛けられる他、図２１・図２２に示している操作により、Ｖ字形の部位で物干竿Ｐを抱え込んだ係止腕２が、それの弾性により物干竿を押し出してフック部１０の内周面に押圧して係着させるようになるので、物干竿Ｐに対し係着状態として引き掛けられるようになる。
【００４５】
【発明の効果】
以上説明したように、本発明によりハンガーの係止装置は、ハンガーを物干綱に対し引き掛けていくだけの簡単な操作で係着状態として吊り下げられるようになる。また、係止腕の基端側に短いアーム２ｂを設けてフック部１０を横切る部位がＶ字形をなすようにしておくときは、物干竿Ｐに対しても係着状態に引き掛けられるようになる。
【図面の簡単な説明】
【図１】従前の物干竿を対象とするハンガーの係止装置の側面図である。
【図２】同上の作用の説明図である。
【図３】同上の物干竿に係着した状態の説明図である。
【図４】従前の物干綱を対象とするハンガーの係止装置の側面図である。
【図５】本発明による物干綱を対象とする係止装置を装備せしめたハンガーの要部の側面図である。
【図６】同上の係止装置の係止腕の軸支位置を変えた例のハンガーの要部の側面図である。
【図７】本発明によるハンガーの係止装置の縦断側面図である。
【図８】同上係止装置の斜視図である。
【図９】同上係止装置の物干綱に引き掛けた状態の縦断側面図である。
【図１０】同上係止装置の係止腕が一対に並列する形態とした例の側面図である。
【図１１】同上係止装置の平面図である。
【図１２】同上係止装置の斜視図である。
【図１３】同上係止装置の別の例の側面図である。
【図１４】同上係止装置のさらに別の側面図である。
【図１５】同上係止装置の実施せるハンガーの側面図である。
【図１６】同上の作用の説明図である。
【図１７】同上の係止装置を物干綱に引き掛けていくときの初期の工程の説明図である。
【図１８】同上の工程の中間における説明図である。
【図１９】同上の工程の終期における説明図である。
【図２０】同上の別の実施例のハンガーの側面図である。
【図２１】同上ハンガーの物干竿に引き掛けるときの工程の初期の説明図である。
【図２２】同上ハンガーの工程の終期の説明図である。
【符号の説明】
Ｐ…物干竿、Ｒ…物干綱、Ｓ…軸支点、Ｋ…規制部材、ａ…屈曲部、ｂ…コーナー部、ｃ…空間、ｒ…目穴、１…ハンガー、１０…フック部、１０ａ…立上部、１０ｂ…開裂部、１００…軸穴、１１…主体部、１２…軸筒部、２…係止腕、２ａ…張出部、２ｂ…短いアーム、２０…上位側のアーム、２１…下位側のアーム、３…連結軸。
【図１】
2004024663.tif 000003
【図２】
2004024663.tif 000004
【図３】
2004024663.tif 000005
【図４】
2004024663.tif 000006
【図５】
2004024663.tif 000007
【図６】
2004024663.tif 000008
【図７】
2004024663.tif 000009
【図８】
2004024663.tif 000010
【図９】
2004024663.tif 000011
【図１０】
2004024663.tif 000012
【図１１】
2004024663.tif 000013
【図１２】
2004024663.tif 000014
【図１３】
2004024663.tif 000015
【図１４】
2004024663.tif 000016
【図１５】
2004024663.tif 000017
【図１６】
2004024663.tif 000018
【図１７】
2004024663.tif 000019
【図１８】
2004024663.tif 000020
【図１９】
2004024663.tif 000021
【図２０】
2004024663.tif 000022
【図２１】
2004024663.tif 000023
【図２２】
2004024663.tif 000024